【事件の表示】
　特願２００２−１９７６７０「複数材料ゴルフクラブヘッド」拒絶査定不服審判事件〔平成１５年　３月　４日出願公開、特開２００３−　６２１３０〕について、次のとおり審決する。
【結　論】
　本件審判の請求は、成り立たない。
【理　由】
第１　手続の経緯
　本願は、平成１４年（２００２年）７月５日（パリ条約による優先権主張２００１年７月１６日、米国）に出願された特願２００２−１９７６７０号であって、平成１８年３月２４日付けで拒絶理由が通知され、同年６月２３日付けで手続補正がなされ、同年１０月１７日付けで最後の拒絶理由が通知された。
　そして平成１９年１月２３日付けで手続補正がなされたところ、同年２月１３日付けで当該１月２３日付け手続補正についての補正の却下の決定がなされるとともに、同日付けで拒絶査定がなされ、これに対し、同年５月１０日に拒絶査定不服審判が請求されるとともに、同日付けで手続補正がなされたものである。
　その後、当審において平成２１年７月２３日付けで審尋を行い、同年１０月２２日付けで回答書が提出されている。
　
　
第２　補正の却下の決定
　［結論］
　平成１９年５月１０日付けの手続補正（以下、「本件補正」という。）を却下する。
　
　［理由］
１　本件補正について
　本件補正は、明細書の特許請求の範囲についてするものであり、補正前（平成１９年１月２３日付けの手続補正が原審で却下された結果、平成１８年６月２３日付けの手続補正書を参照。）に、
　
「【請求項１】　打球プレート部と該打撃プレート部の周囲から後方に延びる返り部を有する金属材料からなるフェース要素であって、前記打球プレート部は０．０２５ｃｍ〜０．６３５ｃｍの範囲の厚さを持つフェース要素と、
　前記フェース要素の返り部に取り付けられ、複合材料から成り、クラウン部と前記クラウン部と係合するリボン部分が形成されたソール部から成るアフトボディとを有し、
　前記クラウン部は前記返り部の上部に取り付けられ、前記ソール部は前記返り部の下部に取り付けられ、
　ゴルフクラブヘッドが標準的ＵＳＧＡテスト条件下で測定される反発係数が０．８１〜０．９４の範囲にあり、
　重心を通る垂直軸Izzの回りの慣性モーメントが３０００ｇ−ｃｍ２〜４５００ｇ−ｃｍ２の範囲であるゴルフクラブヘッド。
　　【請求項２】　打球プレート部は０．１４０ｃｍ〜０．３１８ｃｍの範囲の厚さを持つ請求項１に記載のゴルフクラブヘッド。
　　【請求項３】　打球プレート部は０．１５２ｃｍ〜０．０２８ｃｍの範囲の厚さを持つ請求項１に記載のゴルフクラブヘッド。
　　【請求項４】　フェース要素はチタニウム、チタニウム合金、スチール及びスチール合金の群より選択される材料からなる請求項１に記載のゴルフクラブヘッド。
　　【請求項５】　打球プレート部は１．７以下のアスペクト比を持つ請求項１に記載のゴルフクラブヘッド。
　　【請求項６】　打球プレート部は最も厚い中心領域と厚さの異なる同心状領域を持つ請求項１に記載のゴルフクラブヘッド。
　　【請求項７】　打球プレート部は、基礎厚さを持つ円形中心領域と、第１の厚さを持ち、前記基礎厚さは第１の厚さより厚い第１の同心状の領域と、第２の厚さを持ち、前記第１の厚さは前記第２の厚さより厚い第２の同心状領域と、第３の厚さを持ち、前記第２の厚さは前記第３の厚さより厚い第３の同心状の領域と、第４の厚さを持ち、前記第４の厚さは前記第３の厚さより小さい周辺領域とを有する請求項１に記載のゴルフクラブヘッド。
　　【請求項８】　返り部は０．０５１ｃｍ〜０．３８１ｃｍの範囲の厚さを有する請求項１に記載のゴルフクラブヘッド。
　　【請求項９】　ゴルフクラブヘッドは３００立方センチメートル〜６００立方センチメートルの範囲の体積を持つ請求項１に記載のゴルフクラブヘッド。
　　【請求項１０】　重心を通るフェース面に平行な水平軸ＩＹＹの回りの慣性モーメントは１９００ｇ−ｃｍ２〜２０５０ｃｍ２の範囲にある請求項１に記載のゴルフクラブヘッド。
　　【請求項１１】　外側面と内側面を有しゴルフクラブヘッドのヒール側からゴルフクラブヘッドのトオ側に向けて延び、０．０２５ｃｍ〜０．６３５ｃｍの範囲の厚さを持打球プレート部と、前記打球プレート部の周囲から後方に向けて延びる返り部と、前記返り部の上部セクションと前記返り部の下部セクションに係合するシャフトを受けるチューブとを有する鍛造金属からなるフェース要素と、
　クラウン部と該クラウン部と係合するリボン部分が形成されたソール部とを有する複数のプリプレグパイルからなるアフトボディであって、前記クラウン部は前記返り部の上部セクションに前記打球プレート部の周囲から少なくとも１．２７ｃｍ離れた位置において取り付けられており、前記ソール部は前記返り部の下部セクションに前記打球プレート部の周囲から少なくとも０．５０インチ離れた位置において取り付けられているアフトボディとを有するゴルフクラブヘッド。
　　【請求項１２】　前記打球プレート部は０．５〜１．７の範囲のアスペクト比を有する請求項１１に記載のゴルフクラブヘッド。
　　【請求項１３】　ゴルフクラブヘッドは４００立方センチメートル〜５２５立方センチメートルの範囲の体積と１７５グラム〜２２５グラムの範囲の質量を有する請求項１１記載のゴルフクラブヘッド。
　　【請求項１４】　返り部と打球プレート部を有する鍛造チタニウム合金材料からなるフェース要素であって、打球プレート部の中心の周りに最も厚い領域と厚さの変化する同心状の領域を持ち、ゴルフクラブヘッドのヒール部からゴルフクラブヘッドのトオ部に向けて延び、１．７以下のアスペクト比を持つ打球プレートと、前記打球プレート部の周囲から０．５０インチ後方に打球プレート部の周囲の３６０°にわたって延びる返り部と、前記返り部の上部セクションと返り部の下部セクションに係合するシャフトを受ける内部チューブとを有するフェース要素と、
　０．０２５ｃｍ〜０．２５４ｃｍの範囲の厚さを持ち、複数のプリプレグパイルからなるアフトボディであって、前記アフトボディは、クラウン部、前記クラウン部と係合するリボン部分を有するソール部を有し、前記クラウン部は前記返り部の上部に取り付けられ、前記ソール部は前記返り部の下部に取り付けられ、リボン部分のヒール側端部は前記返り部のヒール側に取り付けられ、リボン部分のトオ側端部は前記返り部のトオ側に取り付けられるアフトボディとを有し、
　前記ゴルフクラブヘッドは、中空内部と、４００立方センチメートル〜５２５立方センチメートルの範囲の体積と、１７５グラム〜２２５グラムの範囲の質量及び標準的ＵＳＧＡテスト条件下で測定される反発係数が０．８４〜０．９４の範囲であるゴルフクラブヘッド。」
　
とあったものを、
「【請求項１】　　打球プレート部と該打球プレート部の周囲から後方に延びる返り部を有する金属材料からなるフェース要素であって、前記打球プレート部は、外側面と内側面を有しゴルフクラブヘッドのヒール側からゴルフクラブヘッドのトオ側に向けて延び、打球プレート部の中心の周りに最も厚い中心領域と前記中心領域の周りに厚さの薄く変化する同心状の領域を持ち、０．０２５ｃｍ〜０．６３５ｃｍの範囲の厚さを持ち、０．５〜１．７のアスペクト比を持ち、前記返り部は、前記打球プレート部の周囲から少なくとも１．２７ｃｍ（０．５０インチ）後方に打球プレート部の周囲の３６０°にわたって延び、前記返り部の上部セクションと返り部の下部セクションに係合するシャフトを受ける内部チューブとを有するフェース要素と、
　前記フェース要素の返り部に取り付けられ、クラウン部と、該クラウン部と係合するリボン部分が形成され該リボン部分内面に沿って重り部材が配置されたソール部とを有する複合材料からなるアフトボディであって、前記クラウン部は前記クラウン部のアンダーカット部を解して前記返り部の上部に取り付けられ、前記ソール部は前記ソール部のアンダーカット部を介して前記返り部の下部に取り付けられ、
　前記クラウン部は前記返り部の上部セクションに前記打球プレート部の周囲から少なくとも１．２７ｃｍ（０．５０インチ）離れた位置において取り付けられており、前記ソール部は前記返り部の下部セクションに前記打球プレート部の周囲から少なくとも１．２７ｃｍ（０．５０インチ）離れた位置において取り付けられているアフトボディとを有し、
　ゴルフクラブヘッドは３００立方センチメートル〜６００立方センチメートルの範囲の体積を持ち、
　ゴルフクラブヘッドは３００立方センチメートル〜６００立方センチメートルの範囲の体積を持ち、
　ゴルフクラブヘッドが標準的ＵＳＧＡテスト条件下で測定される反発係数が０．８１〜０．９４の範囲にあり、
　重心を通る垂直軸Izzの回りの慣性モーメントが３０００ｇ−ｃｍ２〜４５００ｇ−ｃｍ２の範囲であるゴルフクラブヘッド。
　　【請求項２】　返り部は０．０５１ｃｍ〜０．３８１ｃｍの範囲の厚さを有する請求項１に記載のゴルフクラブヘッド。
　　【請求項３】　重心を通るフェース面に平行な水平軸ＩＹＹの回りの慣性モーメントは１９００ｇ−ｃｍ２〜２０５０ｃｍ２の範囲にある請求項１に記載のゴルフクラブヘッド。」
　
　と補正するものである。そして、その内容は、次の補正事項のとおりである。
　
（１）補正前の請求項１に対し、フェース要素及びアフトボディの構造に対して発明特定事項を追加するとともに、当該フェース要素とアフトボディとの取り付けに対して発明特定事項を追加し、さらにゴルフクラブヘッドの体積の数値限定を付加して、新たな請求項１とする補正
（２）補正前の請求項８、１０を、それぞれ新たな請求項２、３に繰り上げる補正
（３）補正前の請求項２〜７、９、１１〜１４を削除する補正
　
　上記補正事項（１）〜（２）は、平成１８年法律第５５号改正附則第３条第１項によりなお従前の例によるとされる同法による改正前の特許法（以下、「平成１８年改正前特許法」という。）第１７条の２第４項第２号に掲げる特許請求の範囲の減縮を目的とするものに該当し、上記補正事項（３）は、平成１８年改正前特許法第１７条の２第４項第１号に掲げる請求項の削除に該当する。
　　そこで、本件補正後の特許請求の範囲に記載されている事項により特定される発明が、特許出願の際独立して特許を受けることができるものであるか（平成１８年改正前特許法第１７条の２第５項において準用する同法第１２６条第５項の規定に適合するか）を、本件補正後の請求項１に係る発明について、以下に検討する。
　
　
２　独立特許要件について
（１）本件補正発明
　本件補正後の請求項１に係る発明（以下、「本件補正発明」という。）は、
　
「打球プレート部と該打球プレート部の周囲から後方に延びる返り部を有する金属材料からなるフェース要素であって、前記打球プレート部は、外側面と内側面を有しゴルフクラブヘッドのヒール側からゴルフクラブヘッドのトオ側に向けて延び、打球プレート部の中心の周りに最も厚い中心領域と前記中心領域の周りに厚さの薄く変化する同心状の領域を持ち、０．０２５ｃｍ〜０．６３５ｃｍの範囲の厚さを持ち、０．５〜１．７のアスペクト比を持ち、前記返り部は、前記打球プレート部の周囲から少なくとも１．２７ｃｍ（０．５０インチ）後方に打球プレート部の周囲の３６０°にわたって延び、前記返り部の上部セクションと返り部の下部セクションに係合するシャフトを受ける内部チューブとを有するフェース要素と、
　前記フェース要素の返り部に取り付けられ、クラウン部と、該クラウン部と係合するリボン部分が形成され該リボン部分内面に沿って重り部材が配置されたソール部とを有する複合材料からなるアフトボディであって、前記クラウン部は前記クラウン部のアンダーカット部を介して前記返り部の上部に取り付けられ、前記ソール部は前記ソール部のアンダーカット部を介して前記返り部の下部に取り付けられ、
　前記クラウン部は前記返り部の上部セクションに前記打球プレート部の周囲から少なくとも１．２７ｃｍ（０．５０インチ）離れた位置において取り付けられており、前記ソール部は前記返り部の下部セクションに前記打球プレート部の周囲から少なくとも１．２７ｃｍ（０．５０インチ）離れた位置において取り付けられているアフトボディとを有し、　ゴルフクラブヘッドは３００立方センチメートル〜６００立方センチメートルの範囲の体積を持ち、
　ゴルフクラブヘッドが標準的ＵＳＧＡテスト条件下で測定される反発係数が０．８１〜０．９４の範囲にあり、
　重心を通る垂直軸Izzの回りの慣性モーメントが３０００ｇ−ｃｍ２〜４５００ｇ−ｃｍ２の範囲であるゴルフクラブヘッド。」
にあるものと認める。
　
　なお、本件補正後の請求項１の記載は、以下のとおりの誤記を含むものと認めて、本件補正発明を上記のように認定した。
（ａ）本件補正後の請求項１における「前記クラウン部は・・・アンダーカット部を解して」の「解して」は、「介して」の誤記とみなした。
（ｂ）本件補正後の請求項１には、「ゴルフクラブヘッドは３００立方センチメートル〜６００立方センチメートルの範囲の体積を持ち、」が２回繰り返して記載されているが、この記載は誤記と認め、１回のみ記載されたものとみなした。
　
　
（２）刊行物
ア　原査定の拒絶の理由に引用され、本願の優先日前に頒布された刊行物である特開２００１−１７０２２９号公報（以下、「引用例１」という。）には、以下の事項が図面とともに記載されている。（当審注：後述の「イ　引用発明１の認定」において引用した記載に、下線を付した。）
（ア）「【請求項１０】  
ゴルフクラブヘッドのヒール部からゴルフクラブヘッドのトウ部へ延在し、外面及び内面を有し、ゴルフボールを打つためのフェースプレートと、上記フェースプレートの周囲から
延在するフェース延長部と、上記フェース延長部の上部及び上記フェース延長部の下部にかみ合いシャフトを受容するための内部管状部とを含むフェース部材と、上記フェースプレートから所定の距離で上記フェース延長部の上部に固定されるクラウンと、上記フェースプレートから所定の距離で上記フェース延長部の下部に固定されるソールプレートと、を含むゴルフクラブヘッド
【請求項１１】  
上記ソールプレートは、上記クラウンに固定されるリボン部を有す
【請求項１２】  上記フェースプレートは鍛造されたチタン材料からなる、請求項１０記載のゴルフクラブヘッド。
【請求項１３】  上記ソールプレートは、上記フェース部から後方へ延在し上記ソールプレートをトウ部及びヒール部へ分ける中間隆起部を更に含む、請求項１０記載のゴルフクラブヘッド。
【請求項１４】  
上記フェース部材の上記フェースプレートは、０．０２５乃至０．６３５センチメートル（０．０１０乃至０．２５０インチ）の範囲の厚さを有し
【請求項１５】  上記フェースプレートは、１．７以下のアスペクト比を有する、請求項１４記載のゴルフクラブヘッド。
【請求項１６】  上記フェースプレートの厚さは、上記フェースプレートの中心から外側に向かって変化する、請求項１０記載のゴルフクラブヘッド。
【請求項１７】  上記フェースプレートは、様々な厚さの同心領域を有し、最も厚い領域が中心にある、請求項１０記載のゴルフクラブヘッド。
【請求項１８】  
上記フェースプレートは、基本の厚さを有する中心円形領域と、上記基本の厚さよりも小さい第１の厚さを有する第１の同心領域と、上記第１の厚さよりも小さい第２の厚さを有する第２の同心領域と、上記第２の厚さよりも小さい第３の厚さを有する第３の同心領域と、上記第３の厚さよりも小さい第４の厚さを有する周辺領域とを含
【請求項１９】  上記フェース延長部の上部は上記内部管状部の回りに延びるホーゼル部を有し、上記ホーゼル部の幅は上記フェース延長部の上部全体よりも大きい、請求項１０記載のゴルフクラブヘッド。」
　
（イ）「【００１９】
【発明の実施の形態】本発明は、薄く、高いはね返り係数を有する打球プレートを有するゴルフクラブヘッドであり、それにより本発明のゴルフクラブヘッドでゴルフボールを打った場合により大きい距離を可能とするゴルフクラブヘッドに関連する。はね返り係数（以下「ＣＯＲ」とも称する）は、以下の式、
【００２０】
【数１】
によって決められ、式中、Ｕ１はインパクト前のクラブヘッド速度であり、Ｕ２はインパクト前のゴルフボール速度、即ちゼロであり、ｖ１はゴルフボールがクラブヘッドのフェースから離れた直後のクラブヘッド速度であり、ｖ２はゴルフボールがクラブヘッドのフェースから離れた直後のゴルフボール速度であり、ｅはゴルフボールとクラブフェースとの間のはね返り係数である。ｅの値は、エネルギーの追加がない系では、ゼロ乃至１．０に制限される。柔らかい粘度又はパテといった材料でははね返り係数ｅはゼロに近くなり、一方、変形の結果としてエネルギーが失われない完全に弾性な材料ではｅの値は１．０となる。本発明は、従来のテスト条件下で測定された場合にはね返り係数が約０．９３に近い打球プレート又はフェースを有するクラブヘッドを提供する。」
　
（ウ）「【００２３】
フェース部材６０は
金属材料からなる
フェース部材６０は、一般的に、フェースプレート（本願では打球プレートとも称する）７２と、フェースプレート７２の周囲から
延在するフェース延長部７４とを含む
フェース延長部７４は、一般的には上側横延長部７６、下側横延長部７８、ヒール壁部８０、及びトウ壁部８２を含む
【００２４】上側横延長部７６は、クラウン６２にかみ合わされるよう、中空の内部４６に向かって、所定の距離だけ内向きに延在する。望ましい実施例では、所定の距離は、フェースプレート７２の周囲７３から上側横延長部７６のエッジへ向かって測定される場合に、０．５０８乃至２．５４センチメートル（０．２乃至１．０インチ）の範囲である。クラウンがフェースプレートに垂直にかみ合わされる従来技術とは異なり、本発明では、フェース部材６０は略水平な平面上でクラウン６２にかみ合わされる。かかる組付けは、フェースプレート７２の可撓性を高め、より高いはね返り係数を可能とする。クラウン６２及び上側横延長部７６は、かみ合わせ線８１に沿って溶接などによって互いに固定される。図２Ａに示されるように、他の実施例では、上側横延長部７６は、内向きにより大きい距離においてクラウン６２にかみ合わされ、それにより図２の実施例と比較した場合にフェースプレート７２の応力よりも後方で溶接される。
【００２５】本発明の特徴は、ホーゼル５４への開口５９を囲むフェース延長部７４のホーゼル部８４によって示される。ホーゼル部８４の幅ｗ１は、上側横延長部７６の全体の幅ｗ２よりも大きい。ホーゼル部８４は、ヒール壁部８０へ徐々に移行する。ヒール壁部８０はフェースプレート７２に略垂直であり、ヒール壁部８０はソール６４のリボン部９０及び下部９１にかみ合わされる前にホーゼル５４を覆う。ヒール壁部８０は、溶接等により、ソール６４のリボン部９０及び下部９１の両方に固定される。
【００２６】フェース部材６０の他端は、フェースプレート７２から凸状に弧をなすトウ壁部８２である。トウ壁部８２は、溶接等により、ソール６４のリボン部９０及び下部９１の両方に固定される。
【００２７】下型横延長部７８は、ソール６４にかみ合わされるよう、中空の内部４６に向かって、所定の距離だけ内向きに延在する。望ましい実施例では、所定の距離は、フェースプレート７２の周囲７３から下側横延長部７８の端へ向かって測定される場合に、０．５０８乃至２．５４センチメートル（０．２乃至１．０インチ）の範囲である。ソールプレートがフェースプレートに垂直にかみ合わされる従来技術とは異なり、本発明では、フェース部材６０は略水平な平面上でソール６４にかみ合わされる。このかみ合わせは、溶接の熱によって影響を受ける領域を強さ臨界クラウン／フェースプレート半径領域よりも後方へ移動させる。かかる組付けは、フェースプレート７２の可撓性を高め、より高いはね返り係数を可能とする。ソール６４及び下側横延長部７８は、かみ合わせ線８１に沿って溶接などによって互いに固定される。本発明の特徴は、ホーゼル５４へのソール６４のボア１１４を囲むフェース延長部７４のボア部８６によって示される。ボア部８６の幅ｗ３は、下側横延長部７８の全体の幅ｗ４よりも大きい。ボア部８６は、ヒール壁部８０へ徐々に移行する。」
　
（エ）「【００２９】ソール６４は一般的に、下部９１と、下部９１に略垂直なリボン部９０とからなる。下部９１は、一般的にクラウン６２に向かって凸状である。下部は、トウ部６８へ向かう第１の横延長部９４とヒール部６６へ向かう第２の横延長部９６とを有する中間隆起部９２を有する。中間隆起部９２と第１の横延長部９４は第１の凸状くぼみ９８を画成し、中間隆起部９２と第２の横延長部９６は第２の凸状くぼみ１００を画成する。・・・」
　
（オ）「【００３０】図６乃至８は、本発明のクラブヘッド４２の中空の内部４６を示す図である。ホーゼル５４は中空の内部４６の中に配置され、フェース部材６０の構成要素として配置される。ホーゼル５４はフェース部材６０と同様の材料からなるものでもよく、溶接等によりフェース部材６０に固定される。ホーゼル５４は、フェースプレート７２の打球質量に寄与するために、フェースプレート７２に向かってヒール部６６の近傍でホーゼル５４の重量を集中させるためにフェース部材６０の中に配置される。ホーゼル５４の中空の内側部１１８は、ボア１１４と開口５９との間に円筒状の管を形成するホーゼル壁部１２０によって画成される。望ましい実施例では、ホーゼル壁部１２０はヒール壁部８０とかみ合わされず、それによりホーゼル壁部１２０とヒール壁部８０の間にボイド１１５を残す。シャフト４８はホーゼル５４の中に配置される。更に、ホーゼル５４は、ゴルフボールとのインパクト中にフェースプレート７２のコンプライアンスを許すため、フェースプレート７２から後方に配置される。１つの実施例では、ホーゼル５４はフェースプレート７２から０．３１８センチメートル（０．１２５インチ）後方に配置される。」
　
（カ）「【００３１】
クラブヘッド４２の中空の内部４６には、任意の２つのおもり部材１２２及び１２３が配置され
　
（キ）「【００３３】図１２、１２Ａ及び１３は、フェースプレート７２の厚さが変化する本発明の実施例を示す図である。フェースプレート即ち打球プレート７２は、夫々が異なる厚さを有する楕円領域に分割される。中央楕円領域１０２は、望ましくは０．７９乃至０．２２９センチメートル（０．１１０乃至０．０９０インチ）、更に望ましくは０．２６１乃至０．２３６センチメートル（０．１０３乃至０．０９３インチ）の範囲の最も大きい厚さを有し、最も望ましくは０．２４１センチメートル（０．０９５インチ）である。第１の同心領域１０４は、望ましくは０．２４６乃至０．２０８センチメートル（０．０９７乃至０．０８２インチ）、更に望ましくは０．２２９乃至０．２０８センチメートル（０．０９０乃至０．０８２インチ）の範囲の次に大きい厚さを有し、最も望ましくは０．２１８センチメートル（０．０８６インチ）である。第２の同心領域１０６は、望ましくは０．２３９乃至０．１７８センチメートル（０．０９４乃至０．０７０インチ）、更に望ましくは０．１９８乃至０．１７８センチメートル（０．０７８乃至０．０７０インチ）の範囲の次に大きい厚さを有し、最も望ましくは０．１８８センチメートル（０．０７４インチ）である。第３の同心領域１０８は、望ましくは０．２２９乃至０．１７８センチメートル（０．０９０乃至０．０７０インチ）の範囲の次に大きい厚さを有する。周囲領域１１０は、望ましくは０．１７５乃至０．１７０センチメートル（０．０６９乃至０．０６１インチ）の範囲の次に大きい厚さを有する。周囲領域は、トウ周囲領域１１０ａ及びヒール周囲領域１１０ｂを含む。フェースプレート７２の厚さの変化は、最大の厚さがフェースプレート７２の中心１１に分布されることを可能とし、それによりフェースプレート７２の可撓性を高め、これはより大きいはね返り係数に対応する。」
　
（ク）「【００３６】本発明の
クラブヘッド４２のはね返り係数は、所与のボールで標準ＵＳＧＡテスト条件下では
０．８３乃至０．８８３の範囲であり
　
（ケ）「【００３７】更に、本発明のフェースプレート７２は、従来技術のフェースプレート（従来技術の１つの例は図１４に示される）よりも小さいアスペクト比を有する。本願で使用されるアスペクト比は、図１に示されるように、フェースの幅「ｗ」をフェースの高さ「ｈ」で割ったものである。１つの実施例では、幅ｗは７８ミリメートルであり、高さｈは４８ミリメートルであり、アスペクト比は１．６３５となる。銃裏委のゴルフクラブヘッドでは、アスペクト比は通常は１よりも遙かに大きい。例えば、元々の登録商標GREAT BIG BERTHAドライバーは、アスペクト比１．９である。本発明の
フェースのアスペクト比は
アスペクト比は
１．０乃至１．７の範囲である
　
（コ）「【００３８】本発明のクラブヘッド４２はまた、従来技術のクラブヘッドよりも大きい体積を有する一方で、重量は従来技術のクラブヘッドと略等しい。本発明の
クラブヘッド４２の体積は、
３００乃至３１０立方センチメートルである
　
（サ）上記記載事項（ウ）の「フェース延長部７４は、一般的には上側横延長部７６、下側横延長部７８、ヒール壁部８０、及びトウ壁部８２を含む」との記載、及び図２〜５から、フェース延長部７４は、
フェースプレート７２の周囲から後方にフェースプレート７２の周囲の３６０°にわたって延びている
　
（シ）おもり部材１２２の位置について、上記記載事項（カ）及び図６から、
クラブヘッド４２の中空の内面に沿っておもり部材が配置され
　
　
イ　引用発明１の認定
　上記記載事項（ア）〜（シ）から、引用例１には、ゴルフクラブヘッドに関し、以下の発明（以下、「引用発明１」という。）が記載されているといえる。
「フェース部材６０は、フェースプレート（本願では打球プレートとも称する）７２と、フェースプレート７２の周囲から後方に延びているフェース延長部７４とを含むものであって、ゴルフクラブヘッドのヒール部からゴルフクラブヘッドのトウ部へ延在し、外面及び内面を有し、ゴルフボールを打つためのフェースプレート７２と、上記フェースプレート７２の周囲から後方にフェースプレート７２の周囲の３６０°にわたって延びているフェース延長部７４と、上記フェース延長部７４の上部及び上記フェース延長部７４の下部にかみ合いシャフトを受容するための内部管状部とを含むフェース部材６０と、上記フェースプレート７２から所定の距離で上記フェース延長部７４の上部に固定されるクラウンと、上記フェースプレート７２から所定の距離で上記フェース延長部７４の下部に固定されるソールプレートと、を含むゴルフクラブヘッドであって、
　上記ソールプレートは、上記クラウンに固定されるリボン部を有し、
　上記フェース部材６０の上記フェースプレート７２は、０．０２５乃至０．６３５センチメートル（０．０１０乃至０．２５０インチ）の範囲の厚さを有し、
　上記フェースプレート７２は、基本の厚さを有する中心円形領域と、上記基本の厚さよりも小さい第１の厚さを有する第１の同心領域と、上記第１の厚さよりも小さい第２の厚さを有する第２の同心領域と、上記第２の厚さよりも小さい第３の厚さを有する第３の同心領域と、上記第３の厚さよりも小さい第４の厚さを有する周辺領域とを含み、
　上記フェース部材６０は金属材料からなり、
　クラブヘッド４２の中空の内面に沿っておもり部材が配置され、
　クラブヘッド４２のはね返り係数は、所与のボールで標準ＵＳＧＡテスト条件下では、０．８３乃至０．８８３の範囲であり、
　フェースプレート７２のアスペクト比は、１．０乃至１．７の範囲であり、
　クラブヘッド４２の体積は、３００乃至３１０立方センチメートルである、
ゴルフクラブヘッド。」
　
　
ウ　原査定の拒絶の理由に引用され、本願の優先日前に頒布された刊行物である特表平７−５０１４７３号公報（以下、「引用例２」という。）には、以下の事項が図面とともに記載されている。
（ス）「請求の範囲
１．一方では、前方へ向けて開いており、かつ上部壁（20）と、周囲壁（21）すなわち帯状部と、場合によって下部壁（３）とから成る単一の部材でできている中空本体（２）と；
　また、他方では、耐衝撃性があり、かつ内部空間（６）を画定するよう前記本体に取り付けられて該本体と共働する打撃面（１）を構成する前部壁（70）を含む金属製の閉塞部材（７）とを含み、
　前記本体（２）は熱可塑性材料を鋳造成形したものであり、かつその周囲を高密度材料製の付加質量体（９）によって占められる少なくとも１の周辺凹部（８）を含むこと、および前記閉塞部材（７）は、クラブシャフトを嵌め込むための首部を形成する、該閉塞部材を伸び出させる管状の上部分（71）を含むことを特徴とするゴルフクラブのヘッド。」（公報第２ページ左上欄第１〜１６行）
　
（セ）「２図に示すように、本発明によるクラブヘッドは複数個の部材を組み立てて作ったものである。本体２は中空で、前方（ＡＶ）へ向けて開いており、かつ熱可塑性材料を鋳造成形した単一の部材からなる。
　この本体は、例えばポリアミド、ＡＢＳ、ポリアミドをベースにした共重合体のような熱可塑性材料を鋳造成形して作製する。
　シェル２の材料の基準寸法と厚さは、正常な利用条件におけるボールの衝撃で作用する圧縮力に耐えられるのに十分でなければならない、３図がより詳細に示すように、本体の剛性を高めるために、内壁または補強用リブ５を含むことを予定する。
　本体２と補強用内壁５は、射出成形した単一部材で作製するのが好ましい。
　本体２の周縁壁部と補強用隔壁の平均厚さ（ｅ）は、約1.5ないし３mmとすることができる。本体を例えばガラスまたは炭素の短繊維の添加で強化することを考えてもよい。
　内部空間６は、それだけでヘッドの打撃面ｌを構成する閉塞用部材７と本体２との連結により画定される。該空間６は、場合によって、例えばポリウレタンのような極く低密度の発泡材料で部分的にまたは全体的に占有することができる。
　閉塞用部材７は、約45から65ｇまでの間の質量があり、好ましくは鋼、チタン、アルミニウムまたはアルミニウム合金などの金属製である。」（公報第３ページ左下欄下から５行目〜同ページ右下欄下から５行目）
　
（ソ）「２図および３図に示すように、本体２は、その周縁部に位置する１（または複数）の収納凹部８を含む、各収納凹部８は、高密度の材料で製作した付加質量体９によって占められ、かつ補強用内壁５を介して面を構成する閉塞用部材に連結される。したがって、本体のいかなる変形も阻止され、かつこの質量体９のエネルギーは、シェルの周縁壁部に分散されることなく打撃面に直接伝達される。
　・・・
　例として、静止モーメントｄｏ（クラブの上端部から14インチ、すなわち355.6mmのところで測定）において、全長が43.5インチ（すなわち1104.9mm）のクラブの均衡をとるため、および「ウッド」型ヘッドのために実現できる質量の配分を提示することができる。」（公報第４ページ左上欄下から６行目〜同ページ右上欄第１２行）
　
（タ）図２から、付加質量体９は、中空本体（２）のリボン部内に配置されることが見て取れる。
　
　
エ　引用発明２の認定
　上記記載事項（ス）〜（タ）及び図２からして、引用例２には、ゴルフクラブのヘッドに関し、次の発明（以下、「引用発明２」という。）が記載されている。
「一方では、前方へ向けて開いており、かつ上部壁（20）と、周囲壁（21）すなわち帯状部と、下部壁（３）とから成る単一の部材でできている中空本体（２）と；
　また、他方では、耐衝撃性があり、かつ内部空間（６）を画定するよう前記中空本体（２）に取り付けられて該中空本体（２）と共働する打撃面（１）を構成する前部壁（70）を含む金属製の閉塞部材（７）とを含み、
　前記中空本体（２）はガラスまたは炭素の短繊維の添加で強化した熱可塑性材料を鋳造成形したものであり、かつ中空本体（２）のリボン部内に高密度材料製の付加質量体（９）を含む、ゴルフクラブのヘッド。」
　
　
オ　原査定の拒絶の理由に引用され、本願の優先日前に頒布された刊行物である特開２００１−１７０２２３号公報（以下、「引用例３」という。）には、以下の事項が図面とともに記載されている。
（チ）「【請求項１】フェース面をバルジとしたウッド型ゴルフクラブであって、該ヘッドを所定のライ角、ロフト角として水平面に載置した基準状態において、ヘッドの重心点を通る垂直軸回りの慣性モーメントＩが３５００（ｇ・cm２）以上であり、
かつこの慣性モーメントＩ（ｇ・cm２）と、前記バルジの曲率半径Ｒ（cm）とにおいて、下記式（１）を満足することを特徴とするウッド型ゴルフクラブヘッド。
  ０．０１×Ｉ−１３．０≦Ｒ≦０．０１×Ｉ−２．０  …（１）」（当審注；数式に関する「（１）」は、公報では○の中に数字。）
　
（ツ）「【００１７】ヘッド１の慣性モーメントを増大させるためには、
ａ）ヘッドの重量を大きくする、
ｂ）ヘッドの体積を大きくする、
ｃ）ヘッドの肉厚、形状等の変更による重量分布の変更
などが挙げられる。ただし、ヘッドの重量が過度に重すぎるとスイングが困難となる傾向があり、ヘッド体積が過度に大きすぎると構えた際に違和感が生じ易いほか、ヘッドの重心高さが大となって打球のバックスピン量を増すなどの影響がある。従って、これらの観点から、現状のヘッド材料の特性、製造技術などを考慮した場合、ヘッドの前記慣性モーメントＩは、例えば３５００〜５０００ｇ・cm２とすることができる。」
　
　
カ　本願の優先日前に頒布された刊行物である特開平１１−１２８４１１号公報（以下、「引用例４」という。）には、以下の事項が図面とともに記載されている。
（テ）「【００２９】図６（ａ）および（ｂ）は、接合方向が異なる枠体同士の接合構造例を示したものである。図（ａ）に示すように、・・・
・・・
【００３２】図（ｃ）は、接合方向が同一となる枠体同士の接合構造例を示したものである。接合方向が同一となる場合、夫々の枠体３９，４０の接合領域の端面を薄肉状に切欠いた後、この薄肉部分を重ね、この重ね合わせ部分の接合領域に厚肉部２０ｉを形成することで、接合強度を低下させることなく、２つの枠体３９，４０を接合することができる。」（当審注：「図（ｃ）」は、「図６（ｃ）」を省略したものと認められる。）
　
（ト）図６（ｃ）より、枠体３９，４０の接合領域の、端面を薄肉状に切欠いた薄肉部分は、アンダーカットにより形成されていることが見て取れる。
　
　
キ　本願の優先日前に頒布された刊行物である特開昭６４−２２２６５号公報（以下、「引用例５」という。）には、以下の事項が図面とともに記載されている。
（ナ）「フェイス部材５は厚さ約１２ｍｍのフェイス面部５ａと厚さ約８ｍｍの周縁部５ｃとからなり重量は６５ｇである。５ｂはフェイス面、又５ｄ、５ｅは周縁部５ｃの端部に設けられた切欠縁部である。」（公報第３ページ右上欄第４〜８行）
　
（ニ）「上記金属枠３を取付けたフェイス部材５の周縁部５ｃにおける切欠縁部５ｅにサイドソール７を固定したサイドソール部材６の周縁部６ｂの先端を挿入し有機溶剤で接着固定しゴルフクラブ用ヘッド１が構成される。」（公報第３ページ左下欄第３〜８行）
　
（ヌ）第２図より、サイドソール部材６が固定されるフェイス部材５の切欠縁部５ｅは、アンダーカットにより形成されていることが見て取れる。
　
　
（３）対比
　本件補正発明と引用発明１とを対比する。
ア　引用発明１における「フェースプレート（本願では打球プレートとも称する）７２」及び「フェースプレート７２の周囲から後方に延びているフェース延長部７４」は、それぞれ本件補正発明における「打球プレート部」及び「該打球プレート部の周囲から後方に延びる返り部」に相当する。
　よって、引用発明１において、「フェースプレート（本願では打球プレートとも称する）７２と、フェースプレート７２の周囲から後方に延びているフェース延長部７４とを含む」、「金属材料からな」る「フェース部材６０」は、本件補正発明における「打球プレート部と該打球プレート部の周囲から後方に延びる返り部を有する金属材料からなるフェース要素」に相当する。
　
イ　引用発明１の「ゴルフクラブヘッドのヒール部からゴルフクラブヘッドのトウ部へ延在し、外面及び内面を有し、ゴルフボールを打つためのフェースプレート７２」が、「基本の厚さを有する中心円形領域と、上記基本の厚さよりも小さい第１の厚さを有する第１の同心領域と、上記第１の厚さよりも小さい第２の厚さを有する第２の同心領域と、上記第２の厚さよりも小さい第３の厚さを有する第３の同心領域と、上記第３の厚さよりも小さい第４の厚さを有する周辺領域とを含」み、「０．０２５乃至０．６３５センチメートル（０．０１０乃至０．２５０インチ）の範囲の厚さを有」する点は、本件補正発明の「打球プレート部」は、「外側面と内側面を有しゴルフクラブヘッドのヒール側からゴルフクラブヘッドのトオ側に向けて延び、打球プレート部の中心の周りに最も厚い中心領域と前記中心領域の周りに厚さの薄く変化する同心状の領域を持ち、０．０２５ｃｍ〜０．６３５ｃｍの範囲の厚さを持」つ点に相当する。
　
ウ　引用発明１の「フェースプレート７２のアスペクト比は、１．０乃至１．７の範囲であ」る点は、本件補正発明の、打球プレート部の「０．５〜１．７のアスペクト比」の数値範囲に包含されるものであるから、本件補正発明の「打球プレート部」が「０．５〜１．７のアスペクト比を持」つ点に相当する。
　
エ　引用発明１の「フェース延長部７４」は、「上記フェースプレート７２の周囲から後方にフェースプレート７２の周囲の３６０°にわたって延びている」のであるから、本件補正発明の「前記返り部は、前記打球プレート部の周囲から少なくとも１．２７ｃｍ（０．５０インチ）後方に打球プレート部の周囲の３６０°にわたって延び」る点と、「前記返り部は、前記打球プレート部の周囲から後方に打球プレート部の周囲の３６０°にわたって延び」る点である限りにおいて、一致する。
　
オ　引用発明１の「上記フェース延長部７４の上部及び上記フェース延長部７４の下部にかみ合いシャフトを受容するための内部管状部」は、本件補正発明の「前記返り部の上部セクションと返り部の下部セクションに係合するシャフトを受ける内部チューブ」に相当する。
　
カ　引用発明１の「ソールプレートは、上記クラウンに固定されるリボン部を有」する点と、本件補正発明の「該クラウン部と係合するリボン部分が形成され該リボン部分内面に沿って重り部材が配置されたソール部」とは、「クラウン部と係合するリボン部分が形成されたソール部」である限りにおいて一致する。
　
キ　引用発明１の「上記フェース延長部７４の上部に固定され」る「クラウン」と、「クラウンに固定されるリボン部を有」し「上記フェース延長部７４の下部に固定され」る「ソールプレート」とからなる部材は、本件補正発明の「前記フェース要素の返り部に取り付けられ、クラウン部と、該クラウン部と係合するリボン部分が形成され該リボン部分内面に沿って重り部材が配置されたソール部とを有する複合材料からなるアフトボディ」と、「前記フェース要素の返り部に取り付けられ、クラウン部と、該クラウン部と係合するリボン部分が形成されたソール部とを有するアフトボディ」という部材である限りにおいて一致する。
　
ク　引用発明１の「上記フェースプレート７２から所定の距離で上記フェース延長部７４の上部に固定されるクラウンと、上記フェースプレート７２から所定の距離で上記フェース延長部７４の下部に固定されるソールプレート」を有する点と、本件補正発明の「前記クラウン部は前記クラウン部のアンダーカット部を介して前記返り部の上部に取り付けられ、前記ソール部は前記ソール部のアンダーカット部を介して前記返り部の下部に取り付けられ、前記クラウン部は前記返り部の上部セクションに前記打球プレート部の周囲から少なくとも１．２７ｃｍ（０．５０インチ）離れた位置において取り付けられており、前記ソール部は前記返り部の下部セクションに前記打球プレート部の周囲から少なくとも１．２７ｃｍ（０．５０インチ）離れた位置において取り付けられている」点とは、「前記クラウン部は前記返り部の上部に取り付けられ、前記ソール部は前記返り部の下部に取り付けられ、前記クラウン部は前記返り部の上部セクションに前記打球プレート部の周囲から所定の距離離れた位置において取り付けられており、前記ソール部は前記返り部の下部セクションに前記打球プレート部の周囲から所定の距離離れた位置において取り付けられている」点である限りにおいて、一致する。
　
ケ　引用発明１の「クラブヘッド４２の体積は、３００乃至３１０立方センチメートルである」点は、本件補正発明の「ゴルフクラブヘッドは３００立方センチメートル〜６００立方センチメートルの範囲の体積」に包含される数値範囲であるから、本件補正発明の「ゴルフクラブヘッドは３００立方センチメートル〜６００立方センチメートルの範囲の体積を持」つ点に相当する。
　
コ　引用発明１の「クラブヘッド４２のはね返り係数は、所与のボールで標準ＵＳＧＡテスト条件下では、０．８３乃至０．８８３の範囲であ」る点は、本件補正発明の「ゴルフクラブヘッドが標準的ＵＳＧＡテスト条件下で測定される反発係数が０．８１〜０．９４の範囲」に包含される数値範囲であるから、本件補正発明の「ゴルフクラブヘッドが標準的ＵＳＧＡテスト条件下で測定される反発係数が０．８１〜０．９４の範囲にあ」る点に相当する。
　
　
　してみると、本件補正発明と引用発明１とは、
「打球プレート部と該打球プレート部の周囲から後方に延びる返り部を有する金属材料からなるフェース要素であって、前記打球プレート部は、外側面と内側面を有しゴルフクラブヘッドのヒール側からゴルフクラブヘッドのトオ側に向けて延び、打球プレート部の中心の周りに最も厚い中心領域と前記中心領域の周りに厚さの薄く変化する同心状の領域を持ち、０．０２５ｃｍ〜０．６３５ｃｍの範囲の厚さを持ち、０．５〜１．７のアスペクト比を持ち、前記返り部は、前記打球プレート部の周囲から後方に打球プレート部の周囲の３６０°にわたって延び、前記返り部の上部セクションと返り部の下部セクションに係合するシャフトを受ける内部チューブとを有するフェース要素と、
　前記フェース要素の返り部に取り付けられ、クラウン部と、該クラウン部と係合するリボン部分が形成されたソール部とを有するアフトボディであって、前記クラウン部は前記返り部の上部に取り付けられ、前記ソール部は前記返り部の下部に取り付けられ、前記クラウン部は前記返り部の上部セクションに前記打球プレート部の周囲から所定の距離離れた位置において取り付けられており、前記ソール部は前記返り部の下部セクションに前記打球プレート部の周囲から所定の距離離れた位置において取り付けられているアフトボディとを有し、
　ゴルフクラブヘッドは３００立方センチメートル〜６００立方センチメートルの範囲の体積を持ち、
　ゴルフクラブヘッドが標準的ＵＳＧＡテスト条件下で測定される反発係数が０．８１〜０．９４の範囲にあるゴルフクラブヘッド。」
の発明である点で一致し、以下の点で相違している。
　
［相違点１］　返り部について、本件補正発明の返り部は、前記打球プレート部の周囲から「少なくとも１．２７ｃｍ（０．５０インチ）」後方に延びているのに対し、引用発明１では、フェース延長部７４がフェースプレート７２の周囲から後方に、具体的にどれくらいの長さ延びているのか、その数値が特定されていない点。
［相違点２］　重り部材について、本件補正発明では、ソール部の「該リボン部分内面に沿って重り部材が配置され」ているのに対し、引用発明１では、クラブヘッド４２の中空の内面に沿っておもり部材を配置しているものの、当該おもり部材を「リボン部分内面に沿って」配置していない点。
［相違点３］　本件補正発明では、アフトボディの材料を「複合材料」としているのに対し、引用発明１はこのような発明特定事項を有していない点。
［相違点４］　本件補正発明では、クラウン部及びソール部は、「クラウン部のアンダーカット部」及び「ソール部のアンダーカット部」を介してそれぞれ返り部に取り付けられているのに対し、引用発明１では、クラウン及びソールプレートのいずれも、アンダーカット部を有していない点。
［相違点５］　本件補正発明では、クラウン部は、返り部の上部セクションに打球プレート部の周囲から「少なくとも１．２７ｃｍ（０．５０インチ）離れた位置」において、ソール部も、返り部の下部セクションに打球プレート部の周囲から「少なくとも１．２７ｃｍ（０．５０インチ）離れた位置」において、それぞれ取り付けられているのに対し、引用発明１のクラウンは、フェース延長部７４の上部に「フェースプレート７２から所定の距離」で、ソールプレートも、フェース延長部７４の下部に「フェースプレート７２から所定の距離」で、それぞれ固定されるとしているのみであって、その具体的な距離の数値について特定されていない点。
［相違点６］　本件補正発明のゴルフクラブヘッドは、「重心を通る垂直軸Izzの回りの慣性モーメントが３０００ｇ−ｃｍ２〜４５００ｇ−ｃｍ２の範囲である」のに対し、引用発明１には、慣性モーメントに関する発明特定事項を有していない点。
　
　
（４）判断
　以下、上記相違点について検討する。
ア　相違点１について
　打球プレート部の周囲の３６０°にわたって延びる返り部について、その具体的な延長長さについては、本願の明細書の段落【００４１】に「返り部は打球プレート部の周囲から少なくとも０．５０インチ離れて内方に且つ横方方に延びている。返り部は打球プレート部の周囲から３６０°にわたり内方に且つ横方向に延びている。」と記載されているのみであって、その「少なくとも０．５０インチ」という数値範囲によって奏される格別有利な効果は認められないから、引用発明１においても、フェース延長部を具体的にどの程度の長さで延長させるかは、当業者が適宜選択し得る設計的事項であり、「少なくとも１．２７ｃｍ（０．５０インチ）」延長させることも、当業者が適宜なし得ることである。
　よって、引用発明１から、上記相違点１に係る本件補正発明の発明特定事項を得ることは、当業者が容易になし得たことである。
　
イ　相違点２、３について
　引用発明２の、「前方へ向けて開いており、かつ上部壁（20）と、周囲壁（21）すなわち帯状部と、下部壁（３）とから成る単一の部材でできている中空本体（２）」は、本件補正発明の、クラウン部とソール部とを有する「アフトボディ」に相当し、引用発明２の「耐衝撃性があり、かつ内部空間（６）を画定するよう前記中空本体（２）に取り付けられて該中空本体（２）と共働する打撃面（１）を構成する前部壁（70）を含む金属製の閉塞部材（７）」は、本件補正発明の「金属材料からなるフェース要素」に相当する。
　そして、引用発明２には、閉塞部材（７）に金属材料を用いるとともに、上記中空本体（２）を「ガラスまたは炭素の短繊維の添加で強化した熱可塑性材料」で形成する、すなわち、上記中空本体（２）を、ガラスまたは炭素の短繊維と熱可塑性材料とが複合した「複合材料」で形成することが記載されているといえ、さらに、引用発明２では、「中空本体（２）のリボン部内に高密度材料製の付加質量体（９）を含む」のであるから、リボン部内に重り部材を配置しているといえる。
　重り部材の位置については、引用発明１では、クラブヘッド４２の「中空の内面に沿って」おもり部材を配置しているのであるから、ここに引用発明２の上記「リボン部内」に配置する点を適用する際、リボン部分「内面に沿っ」た位置に配置することは、当業者が容易になし得たことである。
　
　よって、引用発明１に引用発明２を適用して、上記相違点２、３に係る本件補正発明の発明特定事項を得ることは、当業者が容易になし得たことである。
　
ウ　相違点４について
　ゴルフクラブヘッドにおける２部材を、アンダーカット部を介して取り付けることは、引用例４、５（上記記載事項（テ）〜（ヌ）を参照。）に記載されているように、当業者にとって周知技術である。
　よって、引用発明１における、クラウン部と返り部との、及びソール部と返り部との取り付けそれぞれに当該周知技術を適用して、上記相違点４に係る本件補正発明の発明特定事項を得ることは、当業者が容易になし得たことである。
　
エ　相違点５について
　クラウン部及びソール部を返り部に取り付ける際の、打球プレート部の周囲からの具体的な距離については、本願の明細書の段落【００３９】に「クラウン部は打球プレート部の周囲から少なくとも０．５０インチ離れた位置において返り部の上部セクションに取り付けられている。ソール部は打球プレート部の周囲から少なくとも０．５０インチ離れた位置において返り部の下部セクションに取り付けられている。」と記載されているのみであって、その「少なくとも０．５０インチ」という数値範囲によって奏される格別有利な効果は認められない。
　そして、引用発明１のフェース延長部（本件補正発明の「返り部」に相当。）を、フェースプレートの周囲から後方へ具体的にどの程度の長さで延長させるかは、当業者が適宜選択し得る設計的事項であるから（上記、「ア　相違点１について」を参照。）、引用発明１において、クラウン及びソールプレートを、具体的にどの程度の距離、フェースプレートの周囲から離して取り付けるかは、フェース延長部の延長長さを考慮しつつ、当業者が適宜選択し得る設計的事項であり、「少なくとも１．２７ｃｍ（０．５０インチ）離れた位置」において取り付けることも、当業者が適宜なし得ることである。
　よって、引用発明１から、上記相違点５に係る本件補正発明の発明特定事項を得ることは、当業者が容易になし得たことである。
　
オ　相違点６について
　引用例３（上記記載事項（チ）、（ツ）を参照。）には、ヘッドの重心点を通る垂直軸回りの慣性モーメントＩを３５００〜５０００ｇ・cm２とすることが記載されており、当該数値範囲は、本件補正発明の「重心を通る垂直軸Izzの回りの慣性モーメントが３０００ｇ−ｃｍ２〜４５００ｇ−ｃｍ２の範囲」とは、３５００〜４５００ｇ・cm２の範囲で一致するものである。
　そして、重心を通る垂直軸Izzの回りの慣性モーメントの具体的な数値範囲については、本願の明細書の段落【００７４】に「一般的に、本発明のゴルフクラブヘッド４２の軸Ｚの回りの慣性モーメントは２８００ｇ−ｃｍ２〜５０００ｇ−ｃｍ２の範囲、好ましくは３０００ｇ−ｃｍ２〜４５００ｇ−ｃｍ２、最も好ましくは３５００ｇ−ｃｍ２〜４０００ｇ−ｃｍ２である。」と記載されているのみであって、本件補正発明の上記数値範囲の上限値及び下限値によって奏される格別有利な効果は認められないから、引用例３に記載された公知の数値を考慮し、引用発明１の重心を通る垂直軸Izzの回りの慣性モーメントを「３０００ｇ−ｃｍ２〜４５００ｇ−ｃｍ２の範囲」となるようにすることに、困難性は見いだせない。
　よって、引用発明１に引用例３に記載された技術事項を適用して、上記相違点６に係る本件補正発明の発明特定事項を得ることは、当業者が容易になし得たことである。
　
カ　本件補正発明が奏する作用効果
　請求人は、平成１９年１月２３日付けの意見書において、
「本拒絶理由書の理由２で引用された、引用文献1乃至４に開示される、クラブヘッドは、いずれも、本発明のような返り部を有する金属材料からなるフェースゥ要素と、クラウン部とリボン部分を有するソール部からなり、プリプレグなどの複合材料からなるアフトボディからなるものではありありません。また、いずれの引用文献も複合材料で形成されたアフトボディの所定位置（ソール部のリボン部分）に重り部材を配置することも開示するものではありません。
　本発明は、高い反発係数を持ち、より大きな飛距離を出すことのできるゴルフクラブヘッドを得ることを目的として、金属材料からなり、打撃プレート部とその周囲から後方に延びる返り部を有するフェース要素と、複合材料からなり、クラウン部とソール部とからなるアフトボディによりクラブヘッドを構成し、さらに、独自の重り部材の配置により、これを実現したものです。」
と、主張する。
　しかしながら、上記「イ　相違点２、３について」で検討したとおり、引用発明２は、閉塞部材（７）（本件補正発明の「フェース要素」に相当。）に金属材料を用いるとともに、中空本体（２）（本件補正発明の「アフトボディ」に相当。）をガラスまたは炭素の短繊維と熱可塑性材料とが複合した複合材料で形成し、さらに、上記中空本体（２）のリボン部内に付加質量体（９）（本件補正発明の「重り部材」に相当。）を配置しているといえるのであるから、上記請求人の主張する「高い反発係数を持ち、より大きな飛距離を出すことのできるゴルフクラブヘッドを得る」という作用効果は、引用発明２も有していると認められる。
　よって、本件補正発明は、その全体的な構造を参酌しても、格別有利な作用効果を奏するものとは認められず、引用発明１〜２、引用例３に記載された技術事項、及び周知技術から、当業者が予測できる範囲内のものにすぎない。
　
キ　まとめ
　したがって、本件補正発明は、引用発明１〜２、引用例３に記載された技術事項及び周知の技術に基いて、当業者が容易に発明をすることができたものである。 
　 
　
（５）本件補正発明のむすび
　以上のとおり、本件補正発明は、特許法第２９条第２項の規定により、特許出願の際独立して特許を受けることができないものであるから、本件補正は、平成１８年改正前特許法第１７条の２第５項において準用する同法第１２６条第５項の規定に違反するので、同法第１５９条第１項において読み替えて準用する同法第５３条第１項の規定により却下すべきものである。 
　
　
第３　本願発明について
１　本願発明
　平成１９年５月１０日付けの手続補正は上記のとおり却下され、平成１９年１月２３日付けの手続補正は原審で却下されているので、当審が審理すべき発明は、平成１８年６月２３日付けの手続補正書により補正された請求項１〜１４に記載された事項により特定されるとおりのものであるところ、その請求項１に係る発明（以下、「本願発明」という。）は、次のとおりのものである。
「【請求項１】　打球プレート部と該打撃プレート部の周囲から後方に延びる返り部を有する金属材料からなるフェース要素であって、前記打球プレート部は０．０２５ｃｍ〜０．６３５ｃｍの範囲の厚さを持つフェース要素と、
　前記フェース要素の返り部に取り付けられ、複合材料から成り、クラウン部と前記クラウン部と係合するリボン部分が形成されたソール部から成るアフトボディとを有し、
　前記クラウン部は前記返り部の上部に取り付けられ、前記ソール部は前記返り部の下部に取り付けられ、
　ゴルフクラブヘッドが標準的ＵＳＧＡテスト条件下で測定される反発係数が０．８１〜０．９４の範囲にあり、
　重心を通る垂直軸Izzの回りの慣性モーメントが３０００ｇ−ｃｍ２〜４５００ｇ−ｃｍ２の範囲であるゴルフクラブヘッド。」
　
　
２　刊行物及びその記載事項
　原査定の拒絶の理由に引用された刊行物及びその記載事項等は、上記「第２　補正の却下の決定」、「２　独立特許要件について」の「（２）刊行物」に記載したとおりである。
　
３　対比・判断
　本願発明は、上記「第２　補正の却下の決定」で検討した本件補正発明から、「１　本件補正について」で述べた、補正事項（１）の限定を解除したものに相当する。
　そこで、本願発明と引用発明１とを対比すると、上記相違点３、６の点で相違し、その余に格別の相違点は認められない。そして、当該相違点３、６は、上記「第２　補正の却下の決定」、「２　独立特許要件について」の「（４）判断」で検討したとおり、引用発明１に、引用発明２及び引用例３に記載された技術事項を適用して当業者が容易になし得たことである。
　よって、本願発明も、同様の理由により、引用発明１〜２及び引用例３に記載された技術的事項に基いて当業者が容易に発明をすることができたものである。
　
４　むすび
　以上のとおり、本願の請求項１に係る発明は、特許法第２９条第２項の規定により特許を受けることができないものである。
　そして、本願の請求項１に係る発明が特許を受けることができない以上、本願のその余の請求項について検討するまでもなく、本願は拒絶すべきものである。
　
　よって、結論のとおり審決する。